(57)【特許請求の範囲】
【請求項１】
１台以上のリモコン子機と、１台のリモコン親機を備えたカラオケ選曲予約システムであって、
リモコン子機は、子機ユーザインタフェースと、楽曲索引データベースを備え、
リモコン親機は、親機ユーザインタフェースと、楽曲索引データベースを備え、
子機および親機ユーザインタフェースは、それぞれの利用者に向けた情報の表示と利用者入力の受け付けを可能とし、
楽曲索引データベースは、楽曲ごとに楽曲識別子と曲名とアーチスト名を関連付けし、
リモコン子機は、子機ユーザインタフェースを介して利用者が楽曲索引データベースから検索した楽曲をリクエストした際、当該リクエスト曲の楽曲識別子を含む子機リクエスト電文を作成してリモコン親機に宛てて送信し、
リモコン親機は、受信した子機リクエスト電文中の楽曲識別子を親機記憶手段の予約候補テーブルに格納し、親機ユーザインタフェースによる利用者入力に応答して予約候補テーブルに格納された楽曲識別子に関連付けされた曲名とアーチスト名を親機ユーザインタフェースに一覧表示させ、表示中から１曲を特定する利用者入力があった際、当該特定された楽曲の楽曲識別子を含む親機リクエスト電文を作成してカラオケ装置に宛てて送信する
カラオケ選曲予約システム。
【請求項２】
リモコン子機は、子機ＩＤを記憶し、子機リクエスト電文を作成する際に当該電文に子機ＩＤを含め、
リモコン親機は、子機リクエスト電文中の楽曲識別子と子機ＩＤとを対応付けて予約候補テーブルに格納するとともに、予約候補テーブルの楽曲識別子に基づいて曲名とアーチスト名を表示させる際、楽曲識別子に対応付けられた子機ＩＤを曲名とアーチスト名に対応付けて表示させる
請求項１に記載のカラオケ選曲予約システム。
【請求項３】
リモコン子機は、リクエスト曲の受け付けの際、子機ユーザインタフェースにより利用者識別情報の利用者入力を受け付け可能とし、受け付けたリクエスト曲の楽曲識別子と利用者識別情報を含んだ子機リクエスト電文を作成して送信し、
リモコン親機は、子機リクエスト電文中の楽曲識別子と利用者識別情報を対応付けて予約候補テーブルに格納するとともに、予約候補テーブルの楽曲識別子に基づいて曲名とアーチスト名を一覧表示させる際、楽曲識別子に対応付けられた利用者識別情報を曲名とアーチスト名に対応付けて表示させる
請求項１に記載のカラオケ選曲予約システム。
【請求項４】
１台以上のリモコン子機と、子機アダプタと、１台のリモコン親機を備えたカラオケ選曲システムであって、
リモコン子機は、子機ユーザインタフェースと、楽曲索引データベースを備え、
リモコン親機は、親機ユーザインタフェースと、楽曲索引データベースを備え、
子機および親機ユーザインタフェースは、それぞれの利用者に向けた情報の表示と利用者入力の受け付けを可能とし、
楽曲索引データベースは、楽曲ごとに楽曲識別子と曲名とアーチスト名を関連付けし、
リモコン子機は、子機ユーザインタフェースを介して利用者が楽曲索引データベースから検索した楽曲をリクエストした際、当該リクエスト曲の楽曲識別子を送信バッファに格納し、
子機アダプタは、リモコン子機が結合された際、当該リモコン子機の送信バッファから楽曲識別子を読み出し、読み出した楽曲識別子を含む子機リクエスト電文を作成してリモコン親機に宛てて送信し、
リモコン親機は、受信した子機リクエスト電文中の楽曲識別子を親機記憶手段の予約候補テーブルに格納し、親機ユーザインタフェースによる利用者入力に応答して予約候補テーブルに格納された楽曲識別子に関連付けされた曲名とアーチスト名を親機ユーザインタフェースに一覧表示させ、表示中から１曲を特定する利用者入力があった際、当該特定された楽曲の楽曲識別子を含む親機リクエスト電文を作成してカラオケ装置に宛てて送信する
カラオケ選曲予約システム。
【発明の詳細な説明】
【０００１】
【発明の属する技術分野】
本発明は、電子目次本機能付きカラオケリモコンシステムに関し、とくに、カラオケ利用者が電子目次本機能を使ってカラオケ楽曲の検索を行えるようにしたリモコンシステムに適用して有効な技術に関する。
【０００２】
【従来の技術】
近年のカラオケ目次本（印刷目次本）は膨大な数の楽曲を掲載するために非常に分厚く重量化している。カラオケボックスの場合、来店者はもっぱらカラオケを歌うことを目的に来ているので、自分が歌いたい曲を分厚い印刷目次本で探すことはあまり厭わない。これに対し、接客の補助手段としてカラオケ装置を設置しているバーやクラブのような飲食店いわゆるナイト店の場合、来店者は必ずしも積極的にカラオケを歌いたいとは限らないので、歌いたい曲あるいは歌える曲を印刷目次本で探そうとしても、膨大な数の楽曲が載っている分厚い印刷目次本では、曲探しが面倒で気が削がれてしまうといった状況になりやすい。そこで、従来の場合は、お店のママさんがお客さんに代って、そのお客さんが歌いそうな曲を探して予約し、歌うことを促すような接客がよく行われていた。
【０００３】
一方、最近のカラオケシステムでは、従来の印刷物の目次本に代って、電子目次本機能付きカラオケリモコン装置が導入されるようになってきた。このリモコン装置は、カラオケ装置で演奏可能なカラオケ楽曲の楽曲索引データベース（目次本データベース）を蓄積管理する機能と、タッチパネル式のユーザＩ／Ｆ（インターフェイス）による検索機能と、この検索機能の支援下で利用者が特定した楽曲のリクエスト信号をワイヤレス発信する機能を備えている。
【０００４】
この電子目次本機能付きカラオケリモコン装置は、従来の分厚くて重たい印刷目次本よりも軽くできるとともに、楽曲の検索もゲーム感覚で簡便かつ快適に行わせることができる。カラオケ装置が接客の補助手段として設置されているナイト店において、必ずしもカラオケに積極的でない客も、上記電子目次本機能付きのカラオケリモコン装置ならば、曲探しで煩うことなく自力で選曲してカラオケを楽しむことができる。
【０００５】
また、従来の印刷目次本では、カラオケ楽曲のリクエスト予約に際して、客または店のママさんが目次本で探し当てた楽曲の番号をリモコンに手動で入力する操作手間が必要であった。この手動入力による予約操作は面倒であり、目次本の見間違い、言い違い、あるいは誤入力等の人為ミス要因も介在する。これに対し、上述した電子目次本機能付きのリモコン装置ならば、目次本での検索結果を子機内部にて人手を介さずに自動的にリモコンに引き渡して予約送信させることができるので、曲探しから予約までの面倒を大幅に軽減できる。上記人為ミス要因も排除できる。
【０００６】
したがって、上記電子目次本機能付きカラオケリモコン装置を客に利用開放すれば、客と店の双方に負担をかけることなく、カラオケ利用のセルフサービス度を高めることができる。ナイト店においては、接客補助手段としてのカラオケの利便性を向上させるとともに、店側の労務負担とくに客の曲探しとリモコン入力を代行する手間を軽減させることができる。
【０００７】
【発明が解決しようとする課題】
上述した電子目次本機能付きカラオケリモコン装置の導入は、ナイト店において客側の曲探し負担またはその曲探しを代行する店側の負担を軽減させることができる反面、カラオケ利用の管理および秩序の維持ができなくなる不都合が生じる。
【０００８】
すなわち、従来の印刷目次本を使用するシステムでは、カラオケの予約操作に店員が介在することで、客とのコミュニケーションがとれ、カラオケ利用に関する調停役になって客同士のトラブルも防止でき、飲食代と共に清算するカラオケ料金の集計もできた。これに対し、上記電子目次本機能付きカラオケリモコン装置では、客が勝手に予約できるので、店員は、誤った予約があっても適切な対応（フォロー）ができない、次の予約曲は誰が歌うのかがわからずマイクの準備が間に合わないなど、様々な不都合が生じる。
【０００９】
本発明は以上のような問題を鑑みたものであって、ナイト店において、接客補助手段としてのカラオケの利便性を向上させ、かつ店側の労務負担とくに客の曲探しとリモコン入力を代行する手間を軽減させつつ、カラオケ利用の管理および秩序の維持を適切に行うことを可能にした電子目次本機能付きカラオケリモコンシステムを提供することを目的とする。
【００１０】
【課題を解決するための手段】
第１発明に係るカラオケ選曲予約システムは、分説すると、つぎの事項（１）〜（７）により特定されるものである。
（１）１台以上のリモコン子機と、１台のリモコン親機を備えたカラオケ選曲予約システムであること
（２）リモコン子機は、子機ユーザインタフェースと、楽曲索引データベースを備えること
（３）リモコン親機は、親機ユーザインタフェースと、楽曲索引データベースを備えること
（４）子機および親機ユーザインタフェースは、それぞれの利用者に向けた情報の表示と利用者入力の受け付けを可能とすること
（５）楽曲索引データベースは、楽曲ごとに楽曲識別子と曲名とアーチスト名を関連付けすること
（６）リモコン子機は、子機ユーザインタフェースを介して利用者が楽曲索引データベースから検索した楽曲をリクエストした際、当該リクエスト曲の楽曲識別子を含む子機リクエスト電文を作成してリモコン親機に宛てて送信すること
（７）リモコン親機は、受信した子機リクエスト電文中の楽曲識別子を親機記憶手段の予約候補テーブルに格納し、親機ユーザインタフェースによる利用者入力に応答して予約候補テーブルに格納された楽曲識別子に関連付けされた曲名とアーチスト名を親機ユーザインタフェースに一覧表示させ、表示中から１曲を特定する利用者入力があった際、当該特定された楽曲の楽曲識別子を含む親機リクエスト電文を作成してカラオケ装置に宛てて送信すること
【００１１】
上記のシステムにおいて、リモコン子機は、子機ＩＤを記憶し、子機リクエスト電文を作成する際に当該電文に子機ＩＤを含め、リモコン親機は、子機リクエスト電文中の楽曲識別子と子機ＩＤとを対応付けて予約候補テーブルに格納するとともに、予約候補テーブルの楽曲識別子に基づいて曲名とアーチスト名を表示させる際、楽曲識別子に対応付けられた子機ＩＤを曲名とアーチスト名に対応付けて表示させる構成を採ることができる。
また上記のシステムにおいて、リモコン子機は、リクエスト曲の受け付けの際、子機ユーザインタフェースにより利用者識別情報の利用者入力を受け付け可能とし、受け付けたリクエスト曲の楽曲識別子と利用者識別情報を含んだ子機リクエスト電文を作成して送信し、リモコン親機は、子機リクエスト電文中の楽曲識別子と利用者識別情報を対応付けて予約候補テーブルに格納するとともに、予約候補テーブルの楽曲識別子に基づいて曲名とアーチスト名を一覧表示させる際、楽曲識別子に対応付けられた利用者識別情報を曲名とアーチスト名に対応付けて表示させる構成を採ることができる。
【００１２】
第２発明に係るカラオケ選曲予約システムは、分説すると、つぎの事項（11）〜（18）により特定されるものである。
（11）１台以上のリモコン子機と、子機アダプタと、１台のリモコン親機を備えたカラオケ選曲システムであること
（12）リモコン子機は、子機ユーザインタフェースと、楽曲索引データベースを備えること
（13）リモコン親機は、親機ユーザインタフェースと、楽曲索引データベースを備えること
（14）子機および親機ユーザインタフェースは、それぞれの利用者に向けた情報の表示と利用者入力の受け付けを可能とすること
（15）楽曲索引データベースは、楽曲ごとに楽曲識別子と曲名とアーチスト名を関連付けすること
（16）リモコン子機は、子機ユーザインタフェースを介して利用者が楽曲索引データベースから検索した楽曲をリクエストした際、当該リクエスト曲の楽曲識別子を送信バッファに格納すること
（17）子機アダプタは、リモコン子機が結合された際、当該リモコン子機の送信バッファから楽曲識別子を読み出し、読み出した楽曲識別子を含む子機リクエスト電文を作成してリモコン親機に宛てて送信すること
（18）リモコン親機は、受信した子機リクエスト電文中の楽曲識別子を親機記憶手段の予約候補テーブルに格納し、親機ユーザインタフェースによる利用者入力に応答して予約候補テーブルに格納された楽曲識別子に関連付けされた曲名とアーチスト名を親機ユーザインタフェースに一覧表示させ、表示中から１曲を特定する利用者入力があった際、当該特定された楽曲の楽曲識別子を含む親機リクエスト電文を作成してカラオケ装置に宛てて送信すること
【００１３】
【発明の実施の形態】
図１は、本発明による電子目次本機能付きカラオケリモコンシステムの第１実施例を示す。同図に示すリモコンシステムはリモコン子機１０とリモコン親機２０を用いて構成される。
【００１４】
リモコン子機１０は電子目次本機能と、この目次本機能にデータリンク可能なリモコン機能を有する。電子目次本機能は電子目次本データベースやタッチ操作パネルなどを用いて構成され、カラオケ演奏楽曲の検索およびリクエスト曲選択の操作をＧＵＩ(Graphical User Interface)環境下で行わせる。リモコン機能はブルートゥース(Bluetooth)規格の近距離無線ユニットを用いて構成され、電子目次本機能にて検索されてリクエスト対象に指定操作されたカラオケ楽曲（以下、リクエスト曲）の識別情報を含むデータすなわちリクエストデータを、リモコン親機２０へ無線送信する。１３１はその無線送信用のアンテナを示す。このほか、リモコン子機１０には外部接続ポート部１７などが設けられている。
【００１５】
リモコン親機２０は、上記リモコン子機１０と同様、ＧＵＩ環境で操作できる電子目次本機能と、この目次本機能にデータリンク可能なリモコン機能を有するが、その機能構成はリモコン子機１０と一部異なる。すなわち、リモコン親機２０は、リモコン子機１０から無線送信されたリクエストデータを受信して一時記憶する機能と、一時記憶したリクエストデータを特定操作（所定の利用者入力）にしたがってカラオケ装置５０へリモコン送信するリクエスト機能が搭載されている。
【００１６】
このリモコン親機２０はリモコン子機１０とカラオケ装置５０の間に介在してリクエストデータの転送を制御（コントロール）する。無線ユニットはリモコン子機１０が発信したリクエスト信号を無線受信する一方、カラオケ装置５０に対するリクエスト信号の無線送信を行うように制御（オペレーション）される。２３１はその無線送受信用のアンテナを示す。なお、このリモコン親機２０にも外部接続ポート部２７などが設けられている。
【００１７】
上述したシステムでは、図１に示すように、リモコン子機１０は複数台あって顧客に利用開放される。リモコン親機２０の方は１台だけであって、顧客には利用開放されず、店員（カラオケ利用管理者）が所持して操作する。各子機１０は顧客の操作により、それぞれがリクエストデータを無線発信する。親機２０は、そのリクエストデータを無線受信して一時記憶する。一時記憶したリクエストデータは、親機２０を所持する店員の操作にしたがって一覧表示する。この表示データに対して転送の指示操作が行われると、該当するリクエストデータをカラオケ装置５０へリモコン送信してリクエスト予約を行う。
【００１８】
上述したシステムによれば、利用客はリモコン子機１０の電子目次本機能を使うことにより、歌いたい曲あるいは歌える曲を自力で検索して探すことができる。リクエスト曲を探し当てたならば、その曲を指示してリクエスト予約する旨の操作を行うことにより、そのリクエスト曲の予約手続きを完成させることができる。
【００１９】
この予約手続きは、電子目次本機能での検索結果を子機内部にて人手を介さずに自動的にリモコン機能に引き渡して行われるので、曲探しから予約までの面倒を大幅に軽減できる。従来の印刷目次本で有りがちだった見間違えや言い違え、あるいは誤入力等の人為ミス要因は排除される。
【００２０】
本発明システムの場合、リモコン子機１０による予約手続きは、カラオケ装置５０に対してではなく、店員が所持するリモコン親機２０に対して行われる。リモコン子機１０の利用客はそれぞれ自由に予約手続きを行うが、カラオケ装置５０に対する実際の予約は、その予約順番も含めて、リモコン親機２０を所持する店員が一括管理することができる。店員は、リモコン親機２０が受信して一時記憶しているリクエストデータをカラオケ装置５０へ転送するか否かをＧＵＩ環境下で判断する。転送する際は、選曲番号等のリクエストデータを改めて入力する必要はなく、その転送に関する操作だけを行えばよい。これにより、客と店の双方に負担をかけることなく、カラオケ利用のセルフサービス度を高めることができる。とくにナイト店においては、接客補助手段としてのカラオケの利便性を向上させるともに、店側の労務負担とくに客の曲探しとリモコン入力の手間を代行する労務を軽減させることができる。また、店員は客からのリクエスト発生をリモコン親機２０によって把握できるので、マイクの準備等の気遣いも手際良く行うことができる。
【００２１】
以上のように、上述したカラオケリモコンシステムは、とくにナイト店において、接客補助手段としてのカラオケの利便性を向上させ、かつ店側の労務負担とくに客の曲探しとリモコン入力の手間を代行する労務を軽減させつつ、カラオケ利用の管理および秩序の維持を適切に行うことを可能にする。
【００２２】
図２は、本発明による電子目次本機能付きカラオケリモコンシステムの第２実施例を示す。同図に示すリモコンシステムも、上記第１実施例と同様、リモコン子機１０とリモコン親機２０を用いて構成される。リモコン子機１０とリモコン親機２０の各基本機能は上記第１実施例とほぼ同様の構成であるが、次の点で相違する。すなわち、リモコン子機１０はリクエストデータを無線送信するのではなく、子機１０内の送信バッファに一時的に保持（記憶）するように構成されている。リモコン親機２０は、子機１０側の送信バッファに保持されているリクエストデータを、接続アダプタ装置３０を介して読み出すように構成されている。
【００２３】
接続アダプタ装置３０はいわゆるクレードルあるいはドッキングステーションなどの形式で構成され、リモコン子機１０の本体を一定姿勢で保持するホルダ部３１を有する。このホルダ部３１の底には接続ポート部３７が配設されている。この接続ポート部３７はリモコン子機１０の接続ポート部１７に機械的に対応するとともに、リモコン子機１０からのデータ転送を受けるための通信コネクタと、リモコン子機１０の内蔵電池を充電するための給電用端子を収容している。リモコン子機１０は、その接続アダプタ装置３０のホルダ部３１に装着されてプラグイン接続される。アダプタ装置３０に接続された子機１０は、内蔵電池が充電されるとともに、そのアダプタ装置３０を介してリモコン親機２０に有線通信接続される。この通信接続により、リモコン子機１０に保持されているリクエストデータがリモコン親機２０に転送されて読み取られる。
【００２４】
この第２実施例のシステムでは、カラオケを歌いたい客あるいは歌わせたい客に店員がリモコン子機１０を渡す。リモコン子機１０を渡された客は、その子機１０の電子目次本機能を使ってリクエスト曲を特定し、リクエストする旨の操作を行う。この操作によって生成されたリクエストデータはリモコン子機１０内に保持される。このリクエストデータを保持したリモコン子機１０をそのまま店員に渡す。
【００２５】
店員は、客から受取ったリモコン子機１０を接続アダプタ装置３０に装着する。子機１０側のリクエストデータは、アダプタ装置３０を介してリモコン親機２０に転送される。転送されたリクエストデータは、前記第１実施例の場合と同様、リモコン親機２０を管理する店員の操作により、カラオケ装置５０へ選択的に転送される。
【００２６】
これにより、前記第１実施例の場合と同様、接客補助手段としてのカラオケの利便性を向上させ、かつ店側の労務負担とくに客の曲探しとリモコン入力を代行する手間を軽減させつつ、カラオケ利用の管理および秩序の維持を適切に行うことができる。さらに、この第２実施例では、リモコン子機１０の受け渡しを通じて客とのコミュニケーションをとる機会を増すことができる、という効果も得られる。さらに、リモコン子機１０は上記接続アダプタ装置３０に装着されている間に内蔵電池が充電されるので、充電忘れを防止する効果も得られる。
【００２７】
図２に示す第２実施例では、接続アダプタ装置３０とリモコン親機２０が別体に構成されているが、両者は一体に構成してもよい。つまり、リモコン親機２０に接続アダプタ装置３０の機能を装備させるようにしてもよい。あるいは、接続アダプタ装置３０にリモコン親機２０の機能を装備させるようにしてもよい。また、第１実施例と第２実施例とでは、リモコン子機１０の機能構成が部分的に異なるが、両機能はソフトウェア的手段によって切替設定が可能である。
【００２８】
図３は、上記リモコン子機１０の具体的な構成例を示す。
リモコン子機１０の内部は、同図の（Ａ）に示すように、タッチ式操作パネル１１を構成するディスプレイ１１１とタッチパネル１１２、フラッシュメモリ等の不揮発性メモリを用いた電子目次本データベース１２、ブルートゥース規格の無線ユニット１３、ＲＳ２３２Ｃなどの通信Ｉ／Ｆ１４、マイクロコンピュータ（ＣＰＵ）による主制御部１５、および二次電池を用いた充電式内蔵電源１６などにより構成される。
【００２９】
同図において、ディスプレイ１１１は、ＴＦＴ型ＬＣＤなどの表示デバイスと、この表示デバイスに画像表示を行わせるコントローラおよびドライバなどを含む。タッチパネル１１２は一種のポインティングデバイスであって、指先あるいはペン等の接触による指示位置を検出して主制御部１５に引き渡す。このタッチパネル１１２は透明なシート状またはフィルム状であって、その操作面はディスプレイ１１１の表示画面上に重ねて配設される。
【００３０】
リモコン子機１０の外観は、同図の（Ｂ）に示すように、ハンディタイプのデータ端末装置としての体裁をなすように構成されている。本体は概して厚めのパネル状で、そのパネル上面には上記タッチ式操作パネル１１が配置されている。本体上部には無線ユニット１３の送信アンテナ１３１が配設されている。本体下部には外部接続ポート部１７が配設されている。このポート部１７には、通信Ｉ／Ｆ１４の接続コネクタ１４１や内蔵電源１６の充電用電源端子１６１などが配設されている。これらは、充電装置などを装備した前記接続アダプタ装置３０にワンタッチで装着接続（プラグイン）できるように構成されている。このリモコン子機１０は、主制御部１５のソフトウェアおよび無線ユニット１３などの周辺設定により、前記第１実施例または前記第２実施例のいずれにも対応させることができる。
【００３１】
図４は、上記リモコン親機２０の具体的な構成例を示す。
リモコン親機２０の内部は、同図の（Ａ）に示すように、タッチ式操作パネル２１を構成するディスプレイ２１１とタッチパネル２１２、フラッシュメモリ等の不揮発性メモリを用いた電子目次本データベース２２、ブルートゥース規格の無線ユニット２３、ＲＳ２３２Ｃなどの通信Ｉ／Ｆ２４、マイクロコンピュータによる主制御部２５、および二次電池を用いた充電式内蔵電源２６などにより構成される。
【００３２】
ディスプレイ２１１は、ＴＦＴ型ＬＣＤなどの表示デバイスと、この表示デバイスに画像表示を行わせるコントローラおよびドライバなどを含む。タッチパネル２１２は一種のポインティングデバイスであって、指先あるいはペン等の接触による指示位置を検出して主制御部２５に引き渡す。このタッチパネル２１２は透明なシート状またはフィルム状であって、その操作面はディスプレイ２１１の表示画面上に重ねて配設されている。
【００３３】
リモコン親機２０の外観は、同図の（Ｂ）に示すように、ハンディタイプのデータ端末装置としての体裁をなすように構成されている。リモコン子機１０と同様、本体は概して厚めのパネル状で、そのパネル上面には上記タッチ式操作パネル２１が配置されている。
【００３４】
本体上部には無線ユニット２３の送信アンテナ２３１が配設されている。本体下部には外部接続ポート部２７が配設されている。このポート部２７には、通信Ｉ／Ｆ２４の接続コネクタ２４１や内蔵電源２６の充電用電源端子２６１などが配設されている。これらは、充電装置などを装備した前記接続アダプタ装置３０にワンタッチで装着接続（プラグイン）できるように構成されている。
【００３５】
図４に示したリモコン親機２０のハードウェア構成の主要部は、図３に示したリモコン子機１０と設計・仕様を共通化することができる。また、主制御部２５のソフトウェアおよび無線ユニット２３などの周辺設定により、前記第１実施例または前記第２実施例のいずれにも対応させることができる。
【００３６】
図５は、前記第１実施例において、リモコン子機１０の操作パネル１１に表示される初期操作画面１００の一例を示す。子機１０の初期操作画面１００には、「新譜」「歌手名」「曲名」「あの頃」「デュエット」「ジャンル」などの分類項目を指定して検索を指示する検索用ボタン群１０１、「演奏中止」「スタート」「キーコン（キーコントロール）」などのカラオケ演奏条件を設定するための演奏用ボタン群１０２、および「予約履歴」や「リモコン」の機能処理を実行させるための機能用ボタン群１０３が表示される。
【００３７】
各ボタン群１０１〜１０３はそれぞれ操作項目に応じた複数の操作ボタンを含む。検索用ボタン群１０１は、検索の分類項目に対応する複数の操作ボタンを含む。演奏用ボタン群１０２は、カラオケ演奏条件の設定項目に対応する複数の操作ボタンを含む。機能用ボタン群１０３は、機能項目に対応する複数の操作ボタンを含む。各操作ボタンの表示部位を利用者が指あるいはペン等でタッチ操作することにより、その操作ボタンに対応する指示が入力される。この指示入力に応じて表示画面が階層的に遷移することにより、機能に応じた操作画面による入力支援が行われる。
【００３８】
図６は、リモコン子機１０が上記ボタン群１０１〜１０３の操作に基づいて実行する処理の概要をフローチャート化して示す。同図において、検索用ボタン群１０１中のボタンが指示操作されると、その操作ボタンに対応する検索項目で検索処理を実行する（ｓ１１，ｓ１２）。同様に、機能用ボタン群２０３中のボタンが指示操作されると、その操作ボタンに対応する機能の処理を実行する（ｓ１３〜ｓ１６）。たとえば、「リモコン」のボタンが指示操作されたときは、上記検索処理にて特定された楽曲をリクエスト予約させるための操作支援を実行する（ｓ１３，ｓ１４）。これにより、ＧＵＩ環境下でリクエスト予約操作を行うことができる。
【００３９】
ここで、前記第１実施例では、上記予約操作に対応する処理として、予約対象楽曲の識別情報を含んだリクエストデータをリモコン親機２０へ無線送信する。また、前記第２実施例では、上記予約操作に対応する処理として、予約対象楽曲の識別情報を含んだリクエストデータをリモコン子機１０内の送信バッファに一時保持（記憶）する。送信バッファに保持したリクエストデータは、接続アダプタ装置３０を介してリモコン親機２０へ有線データ転送される。
【００４０】
図７は、前記第１実施例において、リモコン親機２０の操作パネル２１に表示される初期操作画面２００の一例を示す。親機２０の初期操作画面２００にも、子機１００と同様に、検索用ボタン群２０１と演奏用ボタン群２０２が表示される。子機１００と違うのは、機能用ボタン群２０３中に「予約候補」の操作ボタンが表示されていることである。
【００４１】
図８は、リモコン親機２０が上記ボタン群２０１〜２０３の操作に基づいて実行する処理の概要をフローチャート化して示す。同図において、検索用ボタン群２０１中のボタンが指示操作された場合は、子機１０の場合と同様、その操作ボタンに対応する検索項目による検索処理を実行する（ｓ２１，ｓ２２）。機能用ボタン群２０３中のボタンが指示操作されると、その操作ボタンに対応する機能の処理を実行する（ｓ２３〜ｓ２６）。ここで、リモコン親機２０では、「予約候補」ボタンが指示操作されたときの処理として、リモコン子機１０から受取って一時記憶としているリクエストデータをカラオケ装置へ転送決定する際の操作支援を実行する（ｓ２３，ｓ２４）。
【００４２】
図９は、上記「予約候補」ボタンが操作されたときに表示されるメニュー画面２５０を示す。このメニュー画面２５０には複数件（図では８件まで）のリクエストボタン２５１が一覧形式で表示される。これとともに、編集ボタン群２５２、「転送」ボタン２５３、「利用集計」ボタン２５４などが表示される。
【００４３】
各リクエストボタン２５１にはそれぞれ、リモコン子機１０から受取って一時記憶しているリクエストデータの内容が１件分ずつ表示される。表示内容としては、歌手名と曲名のほかに、リクエストデータの発信元である子機ＩＤ（識別情報）を含める。子機ＩＤは、たとえば子機番号であってもよい。さらに、要すれば、図に示すように、そのリクエストデータを発信したリモコン子機１０の利用者ＩＤも表示内容に含める。利用者ＩＤはリクエストデータを発信した客を特定できるものであればよく、たとえば客の名前であってもよい。この利用者ＩＤの入力設定は、客または店員がリモコン子機１０またはリモコン親機２０の操作パネルにて行う。
【００４４】
リモコン親機２０は、上記リクエストボタン２５１が指示操作されると、そのリクエストボタン２５１が表示するリクエストデータを転送候補データに指定する。「転送」ボタン２５３が操作されると、上記転送候補データをカラオケ装置へ送信する。これにより、その転送候補データのリクエスト曲がカラオケ装置に演奏予約される。これとともに、その予約結果を親機２０内のメモリに記録する。この記録内容は、「利用集計」ボタン２５４が操作されたときに、子機別または利用客別に集計して画面表示する。これにより、店側が行うカラオケ料金の清算事務を効率化させることができる。
【００４５】
さらに、リモコン親機２０はリクエストデータの内容を訂正したりする編集機能を装備している。すなわち、図９において、転送候補データの指定操作を取り消したり、リクエストボタン２５１に表示された子機からのリクエストデータを訂正あるいは取り消したりする場合は、編集ボタン群２５２中の対応する操作項目のボタンを操作すればよい。
【００４６】
リモコン親機２０からカラオケ装置５０へのリクエストは、リモコン子機１０におけるリクエストデータの発信順ではなく、リモコン親機２０にて行われる上記転送操作の順に行われる。これにより、リモコン親機２０を管理する店員は、公平な歌唱順となるように予約順番を操作することができる。また、リモコン親機２０にリクエストデータの編集機能を装備させることにより、リモコン子機１０において誤った検索が行われても、リモコン親機２０を所持する店員はそれに簡単かつ適切に対応することができる。
【００４７】
以上、本発明をその代表的な実施例に基づいて説明したが、本発明は上述した以外にも種々の態様が可能である。たとえば、第１実施例における無線送信は赤外線信号の送信であってもよい。接続アダプタ装置３０による充電電流の供給は電磁結合を利用した非接触式の給電手段を用いてもよい。
【００４８】
【発明の効果】
本発明によれば、ナイト店において、接客補助手段としてのカラオケの利便性を向上させ、かつ店側の労務負担とくに客の曲探しとリモコン入力を代行する手間を軽減させつつ、カラオケ利用の管理および秩序の維持を適切に行わせることができる。
【図面の簡単な説明】
【図１】本発明による電子目次本機能付きカラオケリモコンシステムの第１実施例を示すシステム構成図である。
【図２】本発明による電子目次本機能付きカラオケリモコンシステムの第２実施例を示すシステム構成図である。
【図３】本発明のシステムで使用するリモコン子機の具体的な構成例を示す図である。
【図４】本発明のシステムで使用するリモコン親機の具体的な構成例を示す図である。
【図５】リモコン子機の初期操作画面表示例を示す図である。
【図６】リモコン子機の処理概要を示すフローチャートである。
【図７】リモコン親機の初期操作画面表示例を示す図である。
【図８】リモコン親機の処理概要を示すフローチャートである。
【図９】リモコン親機のメニュー画面表示例を示す図である。
【符号の説明】
１０  リモコン子機
１１  タッチ式操作パネル
１１１  ディスプレイ
１１２  タッチパネル
１２  電子目次本データベース
１３  ブルートゥース規格の無線ユニット
１３１  無線送信用アンテナ
１４  通信Ｉ／Ｆ
１４１  接続コネクタ
１５  主制御部
１６  充電式内蔵電源
１６１  充電用電源端子
１７  外部接続ポート部
１００  子機１０の初期操作画面
１０１〜１０３  ボタン群
２０  リモコン親機
２１  タッチ式操作パネル
２１１  ディスプレイ
２１２  タッチパネル
２２  電子目次本データベース
２３  ブルートゥース規格の無線ユニット
２３１  無線送信用アンテナ
２４  通信Ｉ／Ｆ
２４１  接続コネクタ
２５  主制御部
２６  充電式内蔵電源
２６１  充電用電源端子
２７  外部接続ポート部
２００  親機２０の初期操作画面
２０１〜２０３  ボタン群
２５０  メニュー画面
２５１  リクエストボタン
２５２  編集ボタン群
２５３  「転送」ボタン
２５４  「利用集計」ボタン
３０  接続アダプタ装置
３１  ホルダ部
３７  外部接続ポート部
５０  カラオケ装置
【図１】
0003830403.tif 000002
【図２】
0003830403.tif 000003
【図３】
0003830403.tif 000004
【図４】
0003830403.tif 000005
【図５】
0003830403.tif 000006
【図６】
0003830403.tif 000007
【図７】
0003830403.tif 000008
【図８】
0003830403.tif 000009
【図９】
0003830403.tif 000010